(57)【要約】【課題】スーパーマーケットでの買物において、詰替え用テーブルでの買物かごから買物用ビニール袋への商品の詰替えの手間を無くし、詰替え用テーブルを少なくでき、買物用ビニール袋を使わないようにし、自動車での買物の運搬を容易にし、買物かごの管理を簡単にする方法を提供することを課題とする。【解決手段】色違いにした貸出し用買物かご１と店内用買物かご２を用意すること。客は事前に、スーパーマーケットの会員カード等の登録を行い、貸出し用買物かご１を貸してもらう。客は貸出し用買物かご１を持ってスーパーマーケットに入店し、購入したい商品４をかごに入れ、レジカウンターに行く。店員は別の空の貸出し用買物かご１を置き、商品４を清算しながら詰替える。商品４の清算を済まし、商品４の入った貸出し用買物かご１を持って、そのまま、買物ビニール袋３に詰替えることなく、スーパーマーケットから出る。【選択図】図１
2004175421.tif 000002
【特許請求の範囲】
【請求項１】
貸出し用買物かごと店内用買物かごを色違いにすることを特徴とするスーパーマーケットにおける買物かごの貸出しシステム。
【発明の詳細な説明】
【０００１】
【発明の属する技術分野】
この発明は、スーパーマーケットにおける、買物かごの貸出しシステムに関するものである。
【０００２】
【従来の技術】
従来のスーパーマーケットでは図３のように、客が、入口の買物かご置場５から合成樹脂製の店内用買物かご２を取り、購入したい商品４を店内用買物かご２に入れ、レジカウンター８に店内用買物かご２を置いた。店員は、店内用買物かご２に入った商品４を取り出し、レジスターに通し、別の空の店内用買物かご２へ移替え、購入した商品４の合計金額を計算し、店員は買物用ビニール袋３を店内用買物かご２に入れた。
【０００３】客はお金を払った後、商品４が入った店内用買物かご２を持って、詰替え用テーブル９に行き、店内用買物かご２を詰替え用テーブル９に置いて、購入した商品４を買物用ビニール袋３へ詰替えた。空の店内用買物かご２を出口の買物かご置場７に返却し、商品４の入った買物用ビニール袋３を持って、スーパーマーケットから出た。
【０００４】
【発明が解決しようとする課題】
しかしながら、以上の従来技術によれば、清算修了後、客は詰替え用テーブル９にて商品４を店内用買物かご２から買物用ビニール袋３に、詰替えなければならなかった。
【０００５】特に商品４が店内用買物かご２にいっぱい入っている場合は手間がかかった。また、混雑時、詰替え用テーブル９には人がいっぱいで、待たなくてはならない場合があった。そして、店側もサービス向上のため詰替え用テーブル９を十分に設置しなければならなかった。
【０００６】スーパーマーケットでは買物用ビニール袋３を大量に用意しなければならなかった。そのために、余分な経費がかかる一方、使用済み買物用ビニール袋３はゴミとなって捨てられるので、環境にも悪影響を与えた。
【０００７】買物用ビニール袋３に牛乳パックなどの重たい商品が多数入っている場合、買物用ビニール袋３は破れやすく、手で持つと買物用ビニール袋３の指に当たる部分が非常に細くなり指が痛くなった。
【０００８】近年、自動車は普及し、駐車場を完備したスーパーマーケットも増え、スーパーマーケットで買物をするのに自動車を使うようになった。買物用ビニール袋３は手に持ったり、自転車のかごに入れると安定するが、車の中に置くと非常に不安定で、袋ごと倒れ商品が袋からこぼれたりする場合があった。
【０００９】また、店内用買物かご２を貸出した場合、正規に手続きをして買物かごを店から持ち出した客と、勝手に持ち出した客とでは外見では区別つかないため、買物かごが紛失する恐れがあった。また、買物かごを借りた客は次回入店の際に返却の有無をいちいちチェックしなければならないため、手間がかかった。
【００１０】そこで、この発明は、詰替え用テーブル９での商品４の詰替えの手間を無くし、詰替え用テーブル９を縮小し、買物用ビニール袋３を使わないようにし、買物が多くても安心して持運びができ、自動車での買物の運搬を容易にし、買物かごの管理を簡単にする方法を提供することを課題とする。
【００１１】
【課題を解決するための手段】
以上の課題を解決するために、請求項１の発明は、貸出し用買物かごと店内用買物かごを色違いにすることを特徴とするスーパーマーケットにおける買物かごの貸出しシステムである。
【００１２】
【発明の実施の形態】
この発明の一実施形態を、図１及び図２に示す。
【００１３】事前に、スーパーマーケットでは、店内用買物かご２と色違いの貸出し用買物かご１を用意する。双方の買物かごは、同一の形状又は、よく似た形状のもので、合成樹脂製である。貸出し用買物かご１の使用を希望する客はスーパーマーケットの会員カードもしくはポイントカード等の登録を行い、貸出し用買物かご１を有料又は、無料にて貸してもらう。会員カード等の登録をしない場合は、貸出し用買物かご１を購入する。
【００１４】客は貸出し用買物かご１を持ってスーパーマーケットに入店し、購入したい商品４を貸出し用買物かご１に入れ、レジカウンター８に行き、貸出し用買物かご１をレジカウンター８に置く。レジカウンター８には店内店内用買物かご２と貸出し用買物かご１があらかじめ十個ほどレジカウンターの買物かご置場６に用意されていて、店員はそこからを空の貸出し用買物かご１を取り出し、レジカウンター８に置いて、清算しながら商品４を空の貸出し用買物かご１に詰替える。
【００１５】店員は商品４をすべて詰替えると、貸出し用買物かご１の上にＡ３程度の大きさの紙を敷いてセロハンテープ等で止めて、未清算の商品やゴミ等が入らないようにする。客はお金を払って、清算済みの商品４の入った貸出し用買物かご１を持って、そのまま、スーパーマーケットから出る。
【００１６】また、従来通りの貸出し用買物かご１を持っていない客は入店後、入口の買物かご置場５にて店内用買物かご２を取って、商品４を店内用買物かご２に入れ、レジカウンター８に店内用買物かご２を置く。店員は空の店内用買物かご２に商品４を詰替えて清算を済まし、詰替え用テーブル９にて店内用買物かご２から買物用ビニール袋３に商品４を詰替え、空の店内用買物かご２を出口の買物かご置場７に返して、スーパーマーケットから出る。
【００１７】
【発明の効果】
以上説明したように、この発明によれば、客は購入したい商品４を貸出し用買物かご１に入れた後、清算を済ませたら、そのまま、貸出し用買物かご１を持って帰れるため、商品の詰替えの手間を無くすことができ、詰替え用テーブル９の場所を縮小できる。
【００１８】買物用ビニール袋３を使用しないので、経費が少なくなり、環境にもやさしくなる。貸出し用買物かご１はたくさん商品４を入れても、買物用ビニール袋３のように破れたりすることはなく、手に持つ場所は丸くなっているため、指を痛めることはなくなる。
【００１９】自動車で買物に来た場合には、買物終了後、貸出し用買物かご１をそのまま積むことができ、多少の自動車の揺れでは貸出し用買物かご１は倒れないので安心して、自動車を運転できる。
【００２０】貸出し用買物かご１と店内用買物かご２とはかご全体が色違いのために、店員は遠くからでも見分けることができるので、店内用買物かご２の持出しを防ぐことができ、買物かごの管理を容易にすることができる。
【図面の簡単な説明】
【図１】本実施の形態例の斜視図である。
【図２】本実施の形態例の貸出し用と店内用の買物かごの外観図である。
【図３】従来例の斜視図である。
【符号の説明】
１  貸出し用買物かご            ２  店内用買物かご
３  買物用ビニール袋            ４  商品
５  入口の買物かご置場          ６  レジカウンターの買物かご置場
７  出口の買物かご置場          ８  レジカウンター
９  詰替え用テーブル            １０  商品棚
【図１】
2004175421.tif 000003
【図２】
2004175421.tif 000004
【図３】
2004175421.tif 000005